(57)【要約】【課題】ナビゲーションアプリがインストールされた電子機器において、ユーザがナビゲーション機能を実行することを希望してからナビゲーション機能が実行されるまでの待機時間を短縮することが可能な電子機器、電子機器の制御方法及びコンピュータプログラムを提供する。【解決手段】ナビゲーションアプリがインストールされた通信端末１において、ナビゲーションアプリの起動とともにナビゲーションアプリ内の所定のナビゲーション機能を対応付けたショートカットアイコン５１を作成する。そして、トップ画面２５において作成されたショートカットアイコン５１が選択操作された場合には、ナビゲーションアプリを起動するとともに、操作されたショートカットアイコン５１に対応付けられたナビゲーション機能を実行させるように構成する。【選択図】図７
2013200265.tif 000002
【特許請求の範囲】
【請求項１】
ナビゲーションアプリがインストールされた電子機器に対して、
前記ナビゲーションアプリの起動に対応付けた第１アイコンを含むユーザにより操作対象となる複数の操作対象アイコンを、一の画面上に配置した操作画面を表示するアイコン表示機能と、
前記操作画面において前記第１アイコンとは別の操作対象となる前記操作対象アイコンであって、前記ナビゲーションアプリの起動とともに前記ナビゲーションアプリ内の所定の機能を対応付けた第２アイコンを生成するアイコン生成機能と、
前記第１アイコンがユーザに操作された場合に、前記ナビゲーションアプリを起動する通常起動機能と、
前記第２アイコンがユーザに操作された場合に、前記ナビゲーションアプリを起動するとともに該第２アイコンに対応付けられた前記ナビゲーションアプリ内の所定の機能を実行する短縮起動機能と、
を実行させることを特徴とするコンピュータプログラム。
【請求項２】
前記ナビゲーションアプリ内の所定の機能は、特定地点を目的地に設定して出発地から該目的地までの経路探索を行う機能であることを特徴とする請求項１に記載のコンピュータプログラム。
【請求項３】
前記ナビゲーションアプリ内の所定の機能は、特定地点を前記ナビゲーションアプリにおいて地図上に特定される前記ユーザの現在位置に設定する機能であることを特徴とする請求項１に記載のコンピュータプログラム。
【請求項４】
前記第２アイコンが前記ユーザに操作された場合に、前記ナビゲーションアプリの起動に係る処理を実行する期間と少なくとも一部が重複する期間である重複期間において、前記特定地点周辺の交通情報を取得する処理を実行する交通情報取得機能を、前記電子機器に実行させることを特徴とする請求項２又は請求項３に記載のコンピュータプログラム。
【請求項５】
前記ユーザの操作に基づいて前記ユーザの自宅を含む所定の地点を登録地点として登録する地点登録機能を、前記電子機器に実行させ、
前記特定地点は、前記登録地点であることを特徴とする請求項２乃至請求項４のいずれかに記載のコンピュータプログラム。
【請求項６】
前記ナビゲーションアプリにおいて過去に目的地に設定された地点の履歴である目的地履歴を取得する目的地履歴取得機能を、前記電子機器に実行させ、
前記特定地点は、前記目的地履歴に含まれる地点であることを特徴とする請求項２乃至請求項４のいずれかに記載のコンピュータプログラム。
【請求項７】
前記ナビゲーションアプリ内の所定の機能は、複数種類の探索条件の候補の内から一又は複数の探索条件を設定して出発地から目的地までの経路探索を行う機能であることを特徴とする請求項１に記載のコンピュータプログラム。
【請求項８】
前記第２アイコンは、設定された前記探索条件の種類毎に異なる複数のアイコンから構成されることを特徴とする請求項７に記載のコンピュータプログラム。
【請求項９】
前記ナビゲーションアプリにおいて経路探索を行う際に設定される探索条件の設定履歴を取得する設定履歴取得機能を、前記電子機器に実行させ、
前記特定の探索条件は、前記複数種類の探索条件の候補の内、設定頻度又は設定比率が所定の閾値以上の探索条件であることを特徴とする請求項７に記載のコンピュータプログラム。
【請求項１０】
前記ナビゲーションアプリ内の所定の機能は、特定地点を出発地又は目的地に設定するとともに、複数種類の探索条件の候補の内から一又は複数の探索条件を設定して該出発地から該目的地までの経路探索を行う機能であることを特徴とする請求項１に記載のコンピュータプログラム。
【請求項１１】
ナビゲーションアプリがインストールされた電子機器の制御方法であって、
前記ナビゲーションアプリの起動に対応付けた第１アイコンを含むユーザにより操作対象となる複数の操作対象アイコンを、一の画面上に配置した操作画面を表示するアイコン表示ステップと、
前記操作画面において前記第１アイコンとは別の操作対象となる前記操作対象アイコンであって、前記ナビゲーションアプリの起動とともに前記ナビゲーションアプリ内の所定の機能を対応付けた第２アイコンを生成するアイコン生成ステップと、
前記第１アイコンがユーザに操作された場合に、前記ナビゲーションアプリを起動する通常起動ステップと、
前記第２アイコンがユーザに操作された場合に、前記ナビゲーションアプリを起動するとともに該第２アイコンに対応付けられた前記ナビゲーションアプリ内の所定の機能を実行する短縮起動ステップと、を有することを特徴とする電子機器の制御方法。
【請求項１２】
ナビゲーションアプリがインストールされた電子機器であって、
ユーザにより操作対象となる複数の操作対象アイコンを一の画面上に配置した操作画面を表示するアイコン表示手段を有し、
前記複数の操作対象アイコンは、前記ナビゲーションアプリの起動に対応付けた第１アイコンと、前記ナビゲーションアプリの起動とともに前記ナビゲーションアプリ内の所定の機能を対応付けた第２アイコンとを含み、
前記第１アイコンがユーザに操作された場合に、前記ナビゲーションアプリを起動する通常起動手段と、
前記第２アイコンがユーザに操作された場合に、前記ナビゲーションアプリを起動するとともに該第２アイコンに対応付けられた前記ナビゲーションアプリ内の所定の機能を実行する短縮起動手段と、を有することを特徴とする電子機器。
【発明の詳細な説明】
【技術分野】
【０００１】
本発明は、電子機器にナビゲーション機能を実行させる為のナビゲーションアプリがインストールされた電子機器、電子機器の制御方法及びコンピュータプログラムに関する。
【背景技術】
【０００２】
従来より、スマートフォンや携帯電話機などの携帯情報端末、パーソナルコンピュータ等の電子機器では、ナビゲーションアプリをインストールし、インストールされたナビゲーションアプリを起動させることによって、様々なナビゲーション機能を実行することが可能である。実行されるナビゲーション機能としては、例えば、利用者に対して現在位置周辺の地図画像を表示したり、任意に設定した出発地から目的地までの案内経路を表示したり、案内経路に沿った目的地までの移動案内を行うこと等が可能となっている。また、上記電子機器において各種ナビゲーション機能を実行する場合には、ユーザはタッチパネルやキーボード等の操作手段を操作し、各種の条件を入力したり、選択することによって所望の機能を実行するように構成されている。
【０００３】
そこで、従来では、上述した各種ナビゲーション機能を実行する場合においてユーザの操作負担を軽減する為に、ショートカットアイコンを生成することが行われている。例えば、特開２００８−３３７６３号公報では、ショートカットアイコンを生成する対象となる機能を選択し、登録アイコンにドラッグアンドドロップすることによって、選択された機能を登録したショートカットアイコンを生成し、トップメニュー画面に表示する技術について記載されている。その結果、従来の技術では、ユーザがトップメニュー画面に表示されたショートカットアイコンを選択することによって、該ショートカットアイコンに登録された機能を簡単な操作で実行することが可能となる。また、ユーザがナビゲーション機能を実行することを希望してから実際にナビゲーション機能が実行されるまでの待機時間を短くすることも可能となる。
【先行技術文献】
【特許文献】
【０００４】
【特許文献１】特開２００８−３３７６３号公報（第４−６頁、図４）
【発明の概要】
【発明が解決しようとする課題】
【０００５】
ここで、上記特許文献１に記載の技術は、ナビゲーションアプリが既に起動された状態にある場合において、ユーザの操作の簡略化や待機時間の短縮を目的とする技術であり、ナビゲーションアプリの起動に係る待機時間については考慮されていない。即ち、引用文献１のようなナビゲーション機能を主に実行するナビゲーション装置では、装置の電源がオンされるのと同時にナビゲーションアプリについても起動され、その後は装置の電源がオフされるまで常にナビゲーションアプリが起動した状態となる為、ナビゲーションアプリの起動に係る待機時間について考慮する必要が無い。
【０００６】
一方、上述した携帯情報端末等の電子機器では、電子機器の電源が投入されるのと同時にナビゲーションアプリが起動されることは一般的に行われず、また、常にナビゲーションアプリを起動した状態とすることも通常の使用状態では行われない。従って、ユーザはナビゲーション機能を実行することを希望する度に、先ずナビゲーションアプリを起動させ、起動後に各種の条件を入力したり、選択することによって所望の機能を実行する。その結果、ユーザがナビゲーション機能を実行することを希望してから実際にナビゲーション機能が実行されるまでの間において、ナビゲーションアプリの起動処理も実行することとなり、待機時間が長くなる問題が生じていた。
【０００７】
しかしながら、上記特許文献１の技術はナビゲーションアプリが既に起動された状態にあることを前提とした技術であるので、上記特許文献１の技術を携帯情報端末等の電子機器に適用したとしても、上記した待機時間に関する問題を解消することはできなかった。
【０００８】
本発明は前記従来における問題点を解消するためになされたものであり、ナビゲーションアプリがインストールされた電子機器において、ナビゲーションアプリが起動していない状態で、ユーザがナビゲーション機能を実行することを希望してからナビゲーション機能が実行されるまでの待機時間を短縮することが可能な電子機器、電子機器の制御方法及びコンピュータプログラムを提供することを目的とする。
【課題を解決するための手段】
【０００９】
前記目的を達成するため本願の請求項１に係るコンピュータプログラムは、ナビゲーションアプリがインストールされた電子機器（１）に対して、前記ナビゲーションアプリの起動に対応付けた第１アイコン（２６）を含むユーザにより操作対象となる複数の操作対象アイコンを、一の画面上に配置した操作画面（２５）を表示するアイコン表示機能と、前記操作画面において前記第１アイコンとは別の操作対象となる前記操作対象アイコンであって、前記ナビゲーションアプリの起動とともに前記ナビゲーションアプリ内の所定の機能を対応付けた第２アイコン（５１）を生成するアイコン生成機能と、前記第１アイコンがユーザに操作された場合に、前記ナビゲーションアプリを起動する通常起動機能と、前記第２アイコンがユーザに操作された場合に、前記ナビゲーションアプリを起動するとともに該第２アイコンに対応付けられた前記ナビゲーションアプリ内の所定の機能を実行する短縮起動機能と、を実行させることを特徴とする。
【００１０】
また、請求項２に係るコンピュータプログラムは、請求項１に記載のコンピュータプログラムであって、前記ナビゲーションアプリ内の所定の機能は、特定地点を目的地に設定して出発地から該目的地までの経路探索を行う機能であることを特徴とする。
尚、「地点」には、住所や座標により特定される地図上の点に加えて、施設等も含む。
【００１１】
また、請求項３に係るコンピュータプログラムは、請求項１に記載のコンピュータプログラムであって、前記ナビゲーションアプリ内の所定の機能は、前記ナビゲーションアプリ内の所定の機能は、特定地点を前記ナビゲーションアプリにおいて地図上に特定される前記ユーザの現在位置に設定する機能であることを特徴とする。
また、電子機器をユーザが所持していれば、ユーザの現在位置は電子機器の現在位置にも相当する。
【００１２】
また、請求項４に係るコンピュータプログラムは、請求項２又は請求項３に記載のコンピュータプログラムであって、前記第２アイコン（５１）が前記ユーザに操作された場合に、前記ナビゲーションアプリの起動に係る処理を実行する期間と少なくとも一部が重複する期間である重複期間において、前記特定地点周辺の交通情報を取得する処理を実行する交通情報取得機能を、前記電子機器に実行させることを特徴とする。
【００１３】
また、請求項５に係るコンピュータプログラムは、請求項２乃至請求項４のいずれかに記載のコンピュータプログラムであって、前記ユーザの操作に基づいて前記ユーザの自宅を含む所定の地点を登録地点として登録する地点登録機能を、前記電子機器（１）に実行させ、前記特定地点は、前記登録地点であることを特徴とする。
【００１４】
また、請求項６に係るコンピュータプログラムは、請求項２乃至請求項４のいずれかに記載のコンピュータプログラムであって、前記ナビゲーションアプリにおいて過去に目的地に設定された地点の履歴である目的地履歴を取得する目的地履歴取得機能を、前記電子機器に実行させ、前記特定地点は、前記目的地履歴に含まれる地点であることを特徴とする。
【００１５】
また、請求項７に係るコンピュータプログラムは、請求項１に記載のコンピュータプログラムであって、前記ナビゲーションアプリ内の所定の機能は、複数種類の探索条件の候補の内から一又は複数の探索条件を設定して出発地から目的地までの経路探索を行う機能であることを特徴とする。
【００１６】
また、請求項８に係るコンピュータプログラムは、請求項７に記載のコンピュータプログラムであって、前記第２アイコン（５１）は、設定された前記探索条件の種類毎に異なる複数のアイコンから構成されることを特徴とする。
【００１７】
また、請求項９に係るコンピュータプログラムは、請求項７に記載のコンピュータプログラムであって、前記ナビゲーションアプリにおいて経路探索を行う際に設定される探索条件の設定履歴を取得する設定履歴取得機能を、前記電子機器（１）に実行させ、前記特定の探索条件は、前記複数種類の探索条件の候補の内、設定頻度又は設定比率が所定の閾値以上の探索条件であることを特徴とする。
【００１８】
また、請求項１０に係るコンピュータプログラムは、請求項１に記載のコンピュータプログラムであって、前記ナビゲーションアプリ内の所定の機能は、特定地点を出発地又は目的地に設定するとともに、複数種類の探索条件の候補の内から一又は複数の探索条件を設定して該出発地から該目的地までの経路探索を行う機能であることを特徴とする。
【００１９】
また、請求項１１に係る電子機器の制御方法は、ナビゲーションアプリがインストールされた電子機器（１）の制御方法であって、前記ナビゲーションアプリの起動に対応付けた第１アイコン（２６）を含むユーザにより操作対象となる複数の操作対象アイコンを、一の画面上に配置した操作画面（２５）を表示するアイコン表示ステップと、前記操作画面において前記第１アイコンとは別の操作対象となる前記操作対象アイコンであって、前記ナビゲーションアプリの起動とともに前記ナビゲーションアプリ内の所定の機能を対応付けた第２アイコン（５１）を生成するアイコン生成ステップと、前記第１アイコンがユーザに操作された場合に、前記ナビゲーションアプリを起動する通常起動ステップと、前記第２アイコンがユーザに操作された場合に、前記ナビゲーションアプリを起動するとともに該第２アイコンに対応付けられた前記ナビゲーションアプリ内の所定の機能を実行する短縮起動ステップと、を有することを特徴とする。
【００２０】
更に、請求項１２に係る電子機器は、ナビゲーションアプリがインストールされた電子機器（１）であって、ユーザにより操作対象となる複数の操作対象アイコン（２６）を一の画面上に配置した操作画面（２５）を表示するアイコン表示手段（２１）を有し、前記複数の操作対象アイコンは、前記ナビゲーションアプリの起動に対応付けた第１アイコンと、前記ナビゲーションアプリの起動とともに前記ナビゲーションアプリ内の所定の機能を対応付けた第２アイコン（５１）とを含み、前記第１アイコンがユーザに操作された場合に、前記ナビゲーションアプリを起動する通常起動手段（２１）と、前記第２アイコンがユーザに操作された場合に、前記ナビゲーションアプリを起動するとともに該第２アイコンに対応付けられた前記ナビゲーションアプリ内の所定の機能を実行する短縮起動手段（２１）と、を有することを特徴とする。
【発明の効果】
【００２１】
前記構成を有する請求項１に記載のコンピュータプログラムによれば、ナビゲーションアプリがインストールされた電子機器において、ナビゲーションアプリの起動とともにナビゲーションアプリ内の所定の機能を対応付けたショートカットアイコンを生成させ、生成されたショートカットアイコンの操作に基づいてナビゲーションアプリを起動するとともに該第２アイコンに対応付けられたナビゲーションアプリ内の所定の機能を実行させるので、ナビゲーションアプリが起動していない状態において、ユーザがナビゲーション機能を実行することを希望してからナビゲーション機能が実行されるまでの待機時間を短縮することが可能となる。また、ナビゲーション機能が実行されるまでに必要な操作手順を簡略化できるので、ユーザへの操作負担についても軽減することが可能となる。
【００２２】
また、請求項２に記載のコンピュータプログラムによれば、ナビゲーションアプリがインストールされた電子機器において、特定地点までの経路探索を行う経路探索機能を実行させる場合に、ユーザが経路探索機能を実行することを希望してから経路探索機能が実行されるまでの待機時間を短縮することが可能となる。
【００２３】
また、請求項３に記載のコンピュータプログラムによれば、ナビゲーションアプリがインストールされた電子機器において、特定地点へのユーザの地図上の現在位置の補正機能を実行させる場合に、ユーザが現在位置の補正機能を実行することを希望してから現在位置の補正機能が実行されるまでの待機時間を短縮することが可能となる。
【００２４】
また、請求項４に記載のコンピュータプログラムによれば、必要な交通情報の取得をナビゲーションアプリの起動に係る処理と重複したタイミングで行うので、ナビゲーションアプリの起動が完了してから交通情報の取得を行う場合と比較して、ユーザがナビゲーション機能を実行することを希望してからナビゲーション機能が実行されるまでの待機時間を短縮することが可能となる。
【００２５】
また、請求項５に記載のコンピュータプログラムによれば、ナビゲーションアプリがインストールされた電子機器において、予め登録された自宅等のメモリ地点までの経路探索やメモリ地点への現在位置補正を行う機能を実行させる場合に、ユーザがそれらの機能を実行することを希望してからそれらの機能が実行されるまでの待機時間を短縮することが可能となる。
【００２６】
また、請求項６に記載のコンピュータプログラムによれば、ナビゲーションアプリがインストールされた電子機器において、過去に設定された目的地までの経路探索や過去に設定された目的地への現在位置補正を行う機能を実行させる場合に、ユーザがそれらの機能を実行することを希望してからそれらの機能が実行されるまでの待機時間を短縮することが可能となる。
【００２７】
また、請求項７に記載のコンピュータプログラムによれば、ナビゲーションアプリがインストールされた電子機器において、設定された一又は複数の探索条件による経路探索を行う経路探索機能を実行させる場合に、ユーザが経路探索機能を実行することを希望してから経路探索機能が実行されるまでの待機時間を短縮することが可能となる。
【００２８】
また、請求項８に記載のコンピュータプログラムによれば、ナビゲーションアプリがインストールされた電子機器において、複数の探索条件による経路探索を行う経路探索機能を対応付けたショートカットアイコンを生成する場合に、探索条件毎に異なるショートカットアイコンを生成することが可能となる。従って、ショートカットアイコンによって経路探索機能を実行する場合に、経路探索の探索条件を容易に選択することが可能となる。
【００２９】
また、請求項９に記載のコンピュータプログラムによれば、ナビゲーションアプリがインストールされた電子機器において、複数の探索条件による経路探索を行う経路探索機能を対応付けたショートカットアイコンを生成する場合に、利用頻度の高い探索条件による経路探索機能を対応付けたショートカットアイコンを生成することが可能となる。従って、ショートカットアイコンの生成に係るユーザの作業負担を軽減することが可能となる。
【００３０】
また、請求項１０に記載のコンピュータプログラムによれば、ナビゲーションアプリがインストールされた電子機器において、設定された一又は複数の探索条件により出発地から目的地までの経路探索を行う経路探索機能を実行させる場合に、ユーザが経路探索機能を実行することを希望してから経路探索機能が実行されるまでの待機時間を短縮することが可能となる。
【００３１】
また、請求項１１に記載の電子機器の制御方法によれば、ナビゲーションアプリがインストールされた電子機器において、ナビゲーションアプリの起動とともにナビゲーションアプリ内の所定の機能を対応付けたショートカットアイコンを生成し、生成されたショートカットアイコンの操作に基づいてナビゲーションアプリを起動するとともに該第２アイコンに対応付けられたナビゲーションアプリ内の所定の機能を実行するので、ナビゲーションアプリが起動していない状態において、ユーザがナビゲーション機能を実行することを希望してからナビゲーション機能が実行されるまでの待機時間を短縮することが可能となる。また、ナビゲーション機能が実行されるまでに必要な操作手順を簡略化できるので、ユーザへの操作負担についても軽減することが可能となる。
【００３２】
更に、請求項１２に記載の電子機器によれば、ナビゲーションアプリがインストールされ、ナビゲーションアプリの起動とともにナビゲーションアプリ内の所定の機能を対応付けたショートカットアイコンが操作画面に表示され、表示されたショートカットアイコンの操作に基づいてナビゲーションアプリを起動するとともに該第２アイコンに対応付けられたナビゲーションアプリ内の所定の機能を実行するので、ナビゲーションアプリが起動していない状態において、ユーザがナビゲーション機能を実行することを希望してからナビゲーション機能が実行されるまでの待機時間を短縮することが可能となる。また、ナビゲーション機能が実行されるまでに必要な操作手順を簡略化できるので、ユーザへの操作負担についても軽減することが可能となる。
【図面の簡単な説明】
【００３３】
【図１】本実施形態に係るナビゲーションシステムを示した概略構成図である。
【図２】本実施形態に係る通信端末の構成を示したブロック図である。
【図３】通信端末のディスプレイに表示されるトップ画面を示した図である。
【図４】通信端末のディスプレイに表示されるナビゲーション画面を示した図である。
【図５】本実施形態に係るショートカット作成処理プログラムのフローチャートである。
【図６】通信端末のディスプレイに表示されるショートカット作成画面を示した図である。
【図７】トップ画面に対するショートカットアイコンの表示例を示した図である。
【図８】トップ画面に対するショートカットアイコンの表示例を示した図である。
【図９】本実施形態に係るナビゲーションアプリ起動処理プログラムのフローチャートである。
【図１０】通常の起動とショートカットアイコンによる起動との差異を示した図である。
【発明を実施するための形態】
【００３４】
以下、本発明に係る電子機器についてナビゲーションアプリがインストールされた通信端末１に具体化した一実施形態に基づき図面を参照しつつ詳細に説明する。先ず、本実施形態に係る通信端末１を含むナビゲーションシステム２の概略構成について図１及び図２を用いて説明する。図１は本実施形態に係るナビゲーションシステム２を示した概略構成図である。
【００３５】
図１に示すように、本実施形態に係るナビゲーションシステム２は、サーバ３を備えた情報センタ４と、ユーザ５が所有する通信端末１とから基本的に構成されている。尚、通信端末１としては例えば携帯電話機、ＰＤＡ、スマートフォン、ＰＣ等がある。また、ユーザ５は車両以外の移動手段（例えば電車、自転車、徒歩等）による移動中であっても良いし、移動していない状態であっても良い。また、情報センタ４と通信端末１とは通信ネットワーク網６を介して互いに電子データを送受信可能に構成されている。
【００３６】
ここで、情報センタ４は、地図情報や交通情報を記憶したＤＢを備え、通信端末１から要求があった場合に、該当するエリアの地図情報や交通情報を通信端末１に対して配信する。また、通信端末１から経路探索の要求があった場合には、指定された出発地から目的地までの経路探索を行い、探索された案内経路に関する情報を通信端末１に対して配信する。尚、経路探索の要求があった場合には、該当する地図情報や交通情報のみを通信端末１に対して配信し、経路探索処理については通信端末１で実行させる構成としても良い。また、地図情報は情報センタ４から通信端末１に配信するのではなく、通信端末１の有する記憶手段（メモリ等）に予め記憶させる構成としても良い。
【００３７】
一方、通信端末１は、ＧＰＳ等の通信端末１の現在位置（即ちユーザ５の現在位置）を特定する為の機能を備えた情報通信端末が用いられ、例えば携帯電話機、ＰＤＡ、スマートフォン、ＰＣ等が該当する。また、通信端末１にはナビゲーションアプリがインストールされている。ここで、ナビゲーションアプリは、後述するようにトップ画面（図３参照）において起動アイコンが選択された場合に起動され、通信端末１においてナビゲーション機能（以下、ナビ機能という）を実行するアプリケーションである。ナビ機能としては、サーバ３から取得したりメモリに格納された地図情報や交通情報に基づいて通信端末１（ユーザ５）の現在位置周辺の地図画像や交通情報を表示したり、表示された地図画像中において通信端末１（ユーザ５）の現在位置を表示したり、設定された出発地から目的地までの経路の探索及び案内をしたり、ナビゲーションアプリの起動後において地図上に最初に特定される通信端末１（ユーザ５）の現在位置（以下、初期位置という）をより正確な位置へと補正（設定）する機能等がある。また、通信端末１は、後述の送受信回路部（ＲＦ）１３を介して通信ネットワーク網６に接続され、情報センタ４と双方向通信可能に構成されている。尚、ナビゲーションアプリは、上記ナビ機能の全てを必ずしも備えている必要はなく、少なくとも１以上のナビ機能を有していれば本願発明を構成することが可能である。また、通信端末１の詳細については後述する。
【００３８】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。
ここで、基地局は通信端末１との通信をするトランシーバー（送受信機）とアンテナを有する。そして、基地局は通信会社の間で無線通信を行う一方、通信ネットワーク網６の末端となり、基地局の電波が届く範囲（セル）にある通信端末１の通信を情報センタ４との間で中継する役割を持つ。
【００３９】
次に、ユーザ５の有する通信端末１の概略構成について図２を用いて説明する。図２は本実施形態に係る通信端末１の制御系を模式的に示すブロック図である。
【００４０】
図２に示すように通信端末１はデータバスＢＵＳに、ＣＰＵ１１と、通信端末１を所持するユーザ５に関するユーザ情報（ユーザＩＤ、氏名等）や地図情報等が記憶されたメモリ１２と、通信ネットワーク網６の基地局との間で信号の送受信を行う送受信回路部（ＲＦ）１３と、送受信回路部１３において受信したＲＦ（Radio Frequency）信号をベースバンド信号に変換するとともにベースバンド信号をＲＦ信号に変換するベースバンド処理部１４と、マイクロホン１５及びスピーカ１６等とのインターフェイスである入出力部１７と、液晶表示パネル等で構成されたディスプレイ１８と、タッチパネルやキーボード等から構成される入力操作部１９と、ＧＰＳ２０とが接続されることにより構成されている。
【００４１】
ここで、通信端末１に内蔵されるＣＰＵ１１は、メモリ１２に格納されている動作プログラムに従って種々の動作を実行する通信端末１の制御手段であり、メモリ１２とともに通信端末ＥＣＵ２１を構成する。また、通信端末ＥＣＵ２１の各種処理内容は必要に応じてディスプレイ１８に表示される。尚、通信端末ＥＣＵ２１は、処理アルゴリズムとしての各種手段を構成する。例えば、アイコン表示手段は、ユーザにより操作対象となる複数の操作対象アイコンを一の画面上に配置した操作画面を表示する。通常起動手段は、通常のナビゲーションアプリの起動アイコン（第１アイコン）がユーザにより操作された場合に、ナビゲーションアプリを起動する。短縮起動手段は、ショートカットアイコン（第２アイコン）がユーザに操作された場合に、ナビゲーションアプリを起動するとともにショートカットアイコンに対応付けられたナビゲーションアプリ内の所定の機能を実行する。
【００４２】
また、メモリ１２は通信端末１を所持するユーザ５に関するユーザ情報（ユーザＩＤ、氏名等）や地図情報の他、インストールされたアプリケーションプログラム、自宅等のユーザにより登録された任意の地図上の地点（施設を含む）であるメモリ地点、ナビゲーションアプリにおいて過去に目的地に設定された地点の履歴である目的地履歴、同じくナビゲーションアプリにおいて過去に経路探索を行った際の探索条件の設定履歴、後述のショートカット作成処理プログラム（図５参照）やナビゲーションアプリ起動処理プログラム（図９参照）等が記憶された記憶媒体である。尚、地図情報はメモリ１２に記憶せずにサーバから通信により取得する構成としても良い。また、メモリ１２は、ハードディスク、メモリーカード、ＣＤやＤＶＤ等の光ディスク等により構成しても良い。
【００４３】
また、ディスプレイ１８は、筐体の一面に配設されており、液晶ディスプレイや有機ＥＬディスプレイ等が用いられる。そして、通信端末１にインストールされている各種アプリケーションを実行する為のトップ画面や、実行されたアプリケーションに係る画面（インターネット画面、メール画面、ナビゲーション画面等）や、画像、動画等の各種情報が表示される。特に、ナビゲーションアプリを実行した場合に表示されるナビゲーション画面では、道路を含む地図画像、交通情報、出発地から目的地までの案内経路、案内経路に沿った案内情報等についても表示される。
【００４４】
ここで、図３は特にディスプレイ１８に表示されるトップ画面２５の一例について示した図である。トップ画面２５は通信端末１の電源をＯＮした後にディスプレイ１８に表示され、通信端末１にインストールされている各種アプリケーションを実行する為の操作を受け付ける基本操作画面であり、ホーム画面やデスクトップ等が相当する。
図３に示すように、トップ画面２５には、複数の起動アイコン２６〜２８が配置されている。起動アイコン２６〜２８は、通信端末１にインストールされているアプリケーションを起動させる為に操作されるアイコンであり、ユーザによって起動アイコン２６〜２８が操作される（例えばタッチパネルによりタッチされる）と、操作された起動アイコン２６〜２８に対応したアプリケーションの起動が開始される。例えば、図３に示す例では、通信端末１に対してナビゲーションアプリとインターネットブラウザアプリとメールアプリがインストールされている場合のトップ画面２５を示す。そして、起動アイコン２６が操作されると、ナビゲーションアプリが起動される。また、起動アイコン２７が操作されると、インターネットブラウザアプリが起動される。また、起動アイコン２８が操作されると、メールアプリが起動される。尚、後述のショートカット作成処理プログラム（図５）において特定のナビ機能を短縮して実行させる為のショートカットアイコンが作成された場合には、作成されたショートカットアイコンがトップ画面２５に新たに表示される。
【００４５】
また、図４はトップ画面２５において特にナビゲーションアプリを起動させる為の起動アイコン２６が操作された場合に、ディスプレイ１８に表示されるナビゲーション画面２９の一例について示した図である。
図４に示すように、ナビゲーション画面２９には、通信端末１周辺の地図画像３０と、通信端末１（即ちユーザ５）の地図上に特定された現在位置を示す現在位置マーク３１が表示される。また、地点登録や経路探索を行う際等に操作される各種操作ボタン３２〜３４についても表示される。また、現在位置周辺の渋滞情報や交通規制等の交通情報（例えば、図４に示す例では工事による通行規制を示すマーク３５）についても表示される。更に、通信端末１において目的地までの案内経路が設定された場合には、地図画像上で案内経路に沿って描かれた案内経路線や、目的地の位置を示す目的地マークについても表示される。そして、ユーザはディスプレイ１８に表示されたナビゲーション画面２９を参照することによって、ユーザ周辺の道路形状や交通状況、目的地までの経路等を把握することが可能となる。
【００４６】
また、入力操作部１９は、ディスプレイ１８の前面に設けられたタッチパネルによって構成されている。そして、通信端末ＥＣＵ２１は、タッチパネルの押下等により出力される電気信号に基づき、対応する各種の動作を実行すべく制御を行う。特に本実施形態では、上述したトップ画面２５における起動アイコン２６〜２８やショートカットアイコンの操作や、起動されたアプリケーションでの各種選択及び入力操作等に用いられる。尚、入力操作部１９は、番号／文字入力キー、表示された内容を選択するためのカーソルを動かすカーソルキー、選択を確定する決定キー等の各種キー等により構成することもできる。
【００４７】
また、ＧＰＳ２０は、人工衛星によって発生させられた電波を受信することにより、通信端末１（即ちユーザ５）の現在位置及び現在時刻を検出可能とする。また、ＧＰＳ２０以外にも通信端末１の現在位置や方位を検出する為の他の装置（例えばジャイロセンサ等）を備える構成としても良い。
【００４８】
続いて、前記構成を有する通信端末１においてＣＰＵ１１が実行するショートカット作成処理プログラムについて図５に基づき説明する。図５は本実施形態に係るショートカット作成処理プログラムのフローチャートである。ここで、ショートカット作成処理プログラムは、通信端末１においてユーザによる所定の操作を受け付けた場合に実行され、特定のナビ機能を短縮して実行させる為のショートカットアイコンをトップ画面２５に新たに作成するプログラムである。尚、ショートカット作成処理プログラムは、ナビゲーションアプリが起動された状態でのみ実行されるように構成しても良いし、ナビゲーションアプリが起動していない状態でも実行されるように構成しても良い。また、以下の図５及び図９にフローチャートで示されるプログラムは、通信端末１が備えるメモリ１２等に記憶されており、ＣＰＵ１１により実行される。
【００４９】
先ず、ショートカット作成処理プログラムではステップ（以下、Ｓと略記する）１において、ＣＰＵ１１は、ショートカット作成画面をディスプレイ１８に表示する。ここで、ショートカット作成画面は、ショートカットの設定条件（即ち、どのようなナビ機能を対応付けたショートカットアイコンを作成するか）をユーザが入力する為の画面である。尚、以下の説明ではナビ機能の内、特に出発地から目的地までの経路を探索する経路探索機能を短縮して実行させる為のショートカットアイコン、及びナビゲーションアプリの起動後において地図上に最初に特定される通信端末１（ユーザ５）の初期位置をより正確な位置へと補正（設定）する機能を短縮して実行させる為のショートカットアイコンを作成する例について説明することとする。
【００５０】
ここで、図６はディスプレイ１８に表示されるショートカット作成画面４１の一例を示した図である。
図６に示すようにショートカット作成画面４１には、ショートカットアイコンの名前を入力するショートカット名入力部４２と、経路探索の目的地とする地点を選択する目的地選択部４３と、経路探索の出発地とする地点を選択する出発地選択部４４と、経路探索の探索条件を選択する探索条件選択部４５と、ショートカットアイコンのデザインを選択するデザイン選択部４６と、各種設定条件の入力及び選択が終わった後に押下される作成指示部４７とから構成される。そして、ユーザはショートカット名入力部４２、目的地選択部４３、出発地選択部４４、探索条件選択部４５、デザイン選択部４６において希望するショートカットアイコンの各種設定条件を入力及び選択し、その後、作成指示部４７を押下する。その結果、後述のようにショートカットアイコンが作成される。例えば、目的地として“自宅”が選択され、出発地として“起動時の現在位置”が選択され、探索条件として“推奨”が選択された場合には、起動時の現在位置から自宅へ推奨を探索条件として探索するナビ機能が対応付けられたショートカットアイコンが作成される。
【００５１】
尚、ショートカット名入力部４２のショートカットアイコンの名前については必ずしも入力する必要は無い。入力しない状態で作成指示部４７が押下された場合には、ＣＰＵ１１が目的地選択部４３、出発地選択部４４、探索条件選択部４５で選択された各設定条件に基づいて名前を作成する。例えば、目的地が“自宅”、出発地が“起動時の現在位置”、探索条件が“推奨”に設定されている場合には、『推奨で現在位置から自宅』との名前が作成される。
【００５２】
また、探索条件については、通信端末１において特に設定頻度や設定比率の高い探索条件がある場合には、後述のように該探索条件を自動的に選択する構成としても良い。また、複数の探索条件を選択可能に構成しても良い。尚、複数の探索条件が選択された場合には、選択された複数の探索条件毎に異なるショートカットアイコンを作成する。また、探索条件として“全条件”が選択された場合には、５つある全ての探索条件（“推奨”、“有料優先”、“一般優先”、“距離優先”、“別ルート”）毎に異なるショートカットアイコン（即ち、計５個のショートカットアイコン）を作成する。
【００５３】
また、目的地や出発地として“メモリ地点”が選択された場合には、ユーザによって過去に登録された地点（施設を含む）であるメモリ地点の一覧がメモリ１２から読み出されて新たにディスプレイ１８に表示され、一覧から選択された地点が目的地や出発地に設定される。また、複数の出発地又は複数の目的地を選択可能に構成しても良い。尚、複数の出発地又は複数の目的地が選択された場合には、選択された複数の出発地毎又は目的地毎に異なるショートカットアイコンを作成する。
【００５４】
また、目的地として“目的地履歴”が選択された場合には、過去に目的地に設定された目的地の地点の一覧がメモリ１２から読み出されて新たにディスプレイ１８に表示され、一覧から選択された地点が目的地に設定される。
【００５５】
また、出発地として“最終目的地”が選択された場合には、ナビゲーションアプリにおいて過去に目的地に設定された地点（施設を含む）の履歴である目的地履歴をメモリ１２等から読み出し、最も直近に設定された目的地が出発地に設定される。尚、目的地に設定され且つユーザが到着したと判定された目的地の内から設定する構成としても良い。尚、ユーザが目的地に到着したか否かは、例えば目的地の所定距離以内（例えば５００ｍ以内）にユーザが接近した場合や、ナビゲーションアプリにおいて目的地への到着案内がされたことを条件として判定する。
【００５６】
また、目的地として“無し”が選択された場合には、経路探索機能では無く、出発地選択部４４において設定された出発地に、ナビゲーションアプリにおいて地図上に特定される通信端末１（即ちユーザ５）の初期位置を補正（設定）する機能が対応付けられたショートカットアイコンが作成される。
【００５７】
次に、ＣＰＵ１１は、通信端末１において過去に経路探索を行った際に設定された探索条件の設定履歴をメモリ１２等から取得し、設定頻度や設定比率が閾値以上である（例えば２０回以上や５０％以上の）探索条件があるか否か判定する。尚、探索条件の設定履歴は、通信端末１で経路探索が行われる度にメモリ１２等に記憶される。また、閾値はメモリ１２等に記憶される。
【００５８】
そして、設定頻度や設定比率が閾値以上の探索条件があると判定された場合（Ｓ２：ＹＥＳ）には、Ｓ３へと移行する。それに対して、設定頻度や設定比率が閾値以上の探索条件が無いと判定された場合（Ｓ２：ＮＯ）には、Ｓ４へと移行する。
【００５９】
Ｓ３においてＣＰＵ１１は、設定頻度や設定比率が閾値以上であると判定された探索条件を、ショートカットアイコンに対応付ける経路探索機能の探索条件に設定する。尚、条件を満たす探索条件が複数ある場合には、複数の探索条件を設定しても良いし、最も設定頻度や設定比率の高い探索条件を設定する構成としても良い。但し、設定頻度や設定比率が閾値以上の探索条件が有っても、ショートカット作成画面４１において探索条件を任意にユーザに選択させる構成としても良い。
【００６０】
Ｓ４においてＣＰＵ１１は、表示されたショートカット作成画面４１において、ショートカットの設定条件（即ち、どのようなナビ機能を対応付けたショートカットアイコンを作成するか）の入力が終了したか否か判定する。具体的には、目的地選択部４３、出発地選択部４４、探索条件選択部４５、デザイン選択部４６においていずれかの選択肢が選択された状態で作成指示部４７が押下されたか否か判定する。
【００６１】
そして、ショートカット作成画面４１においてショートカットの設定条件の入力が終了したと判定された場合（Ｓ４：ＹＥＳ）には、Ｓ５へと移行する。それに対して、ショートカット作成画面４１においてショートカットの設定条件の入力が終了していないと判定された場合（Ｓ４：ＮＯ）には、継続してショートカットの設定条件の入力を受け付ける。
【００６２】
Ｓ５においてＣＰＵ１１は、入力及び選択対象となるショートカットの設定条件の内、特にショートカットアイコンの名前の入力が有ったか否か判定される。具体的には、ショートカット作成画面４１のショートカット名入力部４２（図６参照）に文字列が入力された状態で作成指示部４７が押下された場合には、ショートカットアイコンの名前の入力が有ったと判定される。
【００６３】
そして、ショートカットアイコンの名前の入力が有ったと判定された場合（Ｓ５：ＹＥＳ）には、Ｓ７へと移行する。それに対して、ショートカットアイコンの名前の入力が無いと判定された場合（Ｓ５：ＮＯ）には、Ｓ６へと移行する。
【００６４】
Ｓ６においてＣＰＵ１１は、入力及び選択された他のショートカットアイコンの設定条件に基づいてショートカットアイコンの名前を作成する。例えば、目的地が“自宅”、出発地が“起動時の現在位置”、探索条件が“推奨”に設定されている場合には、『推奨で現在位置から自宅』との名前が作成される。
【００６５】
次に、Ｓ７においてＣＰＵ１１は、入力及び選択されたショートカットアイコンの設定条件に基づいて、ショートカットアイコンを作成する。例えば、経路探索機能が対応付けられたショートカットアイコンを作成する場合であって、特に目的地として“自宅”が選択され、出発地として“起動時の現在位置”が選択され、探索条件として“推奨”が選択された場合には、起動時の現在位置から自宅への経路を推奨の探索条件により探索するナビ機能が対応付けられたショートカットアイコンが作成される。そして、作成されたショートカットアイコンをトップ画面２５に新たに表示する。
【００６６】
例えば、図７は上述したショートカット作成処理プログラム（図５）においてショートカットアイコンが作成された場合のトップ画面２５を示した図である。図７に示すように、ショートカットアイコン５１が作成されると、作成されたショートカットアイコン５１が起動アイコン２６〜２８とともにトップ画面２５に表示される。そして、ユーザがトップ画面２５に表示されたショートカットアイコン５１を選択すると、ナビゲーションアプリを起動するとともにショートカットアイコン５１に対応付けられたナビ機能を実行する。その結果、後述のように、起動アイコン２６によりナビゲーションを起動させた後に、ユーザの操作によりナビ機能を実行する場合と比較して、ナビ機能が実行されるまでの待機時間を短縮することが可能となる。尚、ショートカットアイコン５１はトップ画面２５以外の画面に表示するように構成しても良い。
【００６７】
また、経路探索機能が対応付けられたショートカットアイコンを作成する場合であって、特に探索条件として複数の探索条件が選択された場合や“全条件”が選択された場合には、複数の探索条件（例えば全条件では“推奨”、“有料優先”、“一般優先”、“距離優先”、“別ルート”の５つ）毎にショートカットアイコン（即ち、全条件では５個のショートカットアイコン）が作成され、作成された複数のショートカットアイコンがトップ画面２５に表示される。その場合には、トップ画面２５に対して直接に作成された複数のショートカットアイコンを配置しても良いし、図８に示すようにトップ画面２５にフォルダ５２を作成し、作成されたフォルダ５２の中に作成された複数のショートカットアイコンを配置しても良い。
【００６８】
続いて、通信端末１においてＣＰＵ１１が実行するナビゲーションアプリ起動処理プログラムについて図９に基づき説明する。図９は本実施形態に係るナビゲーションアプリ起動処理プログラムのフローチャートである。ここで、ナビゲーションアプリ起動処理プログラムは、通信端末１の電源がＯＮされた後に所定間隔で実行され、通信端末１にインストールされたナビゲーションアプリを起動するプログラムである。
【００６９】
先ず、ナビゲーションアプリ起動処理プログラムでは、Ｓ１１においてＣＰＵ１１は、ディスプレイ１８に対してトップ画面２５を表示する。尚、トップ画面２５には、通信端末１にインストールされているアプリケーションを起動させる為の起動アイコン２６〜２８が表示される。また、上述したショートカット作成処理プログラム（図５）においてショートカットアイコンが作成された場合には、作成されたショートカットアイコン５１が起動アイコン２６〜２８とともにトップ画面２５に表示される（図７参照）。
【００７０】
次に、Ｓ１２においてＣＰＵ１１は、ナビゲーションアプリの起動を開始する為の所定の操作を受け付けたか否かを判定する。具体的には、トップ画面２５（図７参照）に表示されたアイコンの内、ナビゲーションアプリの起動が対応付けられた起動アイコン２６やショートカットアイコン５１が選択操作（例えばタッチパネルによりタッチ）された場合に、ナビゲーションアプリの起動を開始する為の所定の操作を受け付けたと判定する。
【００７１】
そして、ナビゲーションアプリの起動を開始する為の所定の操作を受け付けたと判定された場合（Ｓ１２：ＹＥＳ）には、Ｓ１３へと移行する。それに対して、ナビゲーションアプリの起動を開始する為の所定の操作を受け付けていないと判定された場合（Ｓ１２：ＮＯ）には、当該ナビゲーションアプリ起動処理プログラムを終了する。
【００７２】
Ｓ１３においてＣＰＵ１１は、前述したショートカット作成処理プログラム（図５）によって作成されたショートカットアイコンによるナビゲーションアプリの起動操作を受け付けたか否かを判定する。具体的には、トップ画面２５（図７参照）に表示されたショートカットアイコン５１が選択操作（例えばタッチパネルによりタッチ）された場合に、ショートカットアイコンによるナビゲーションアプリの起動操作を受け付けたと判定する。
【００７３】
そして、ショートカットアイコンによるナビゲーションアプリの起動操作を受け付けたと判定された場合（Ｓ１３：ＹＥＳ）には、Ｓ１５へと移行する。それに対して、ショートカットアイコン以外の通常のナビゲーションアプリの起動操作（例えば、トップ画面２５に表示された起動アイコン２６の選択操作）を受け付けたと判定された場合（Ｓ１３：ＮＯ）には、Ｓ１４へと移行する。
【００７４】
Ｓ１４においてＣＰＵ１１は、通常のナビゲーションアプリの起動処理を実行する。その結果、所定時間（例えば５ｓｅｃ）経過した後に起動処理が完了し、図４に示すようなナビゲーション画面２９がディスプレイ１８に表示される。その後、ユーザはナビゲーション画面２９に表示された各種操作ボタン３２〜３４等を改めて操作することによって、経路探索や施設検索等のナビ機能を実行することが可能となる。
【００７５】
一方、Ｓ１５以降においてＣＰＵ１１は、ショートカットアイコンに基づくナビゲーションアプリの起動処理を実行する。具体的には、ナビゲーションアプリの起動とともに操作されたショートカットアイコンに対応付けられたナビ機能についても実行する。それによって、ユーザが希望したナビ機能が実行されるまでの待機時間を短縮し、また、ナビ機能が実行されるまでに必要な操作手順を簡略化するものである。
【００７６】
先ず、Ｓ１５においてＣＰＵ１１は、ナビゲーションアプリの起動処理を開始するとともに、サーバ３と通信を行うことによって事前に経路探索に用いる交通情報（渋滞情報や交通規制等）を取得する。具体的には、目的地周辺のエリア及び出発地から目的地までのセンタールート周辺のエリアに対する交通情報を取得する。尚、ナビゲーションアプリの起動処理とサーバ３との通信処理は必ずしも同時に開始する必要は無く、いずれか一方を早く開始しても良い。ナビゲーションアプリの起動処理を実行する期間とサーバとの通信を行う期間とが少なくとも一部で重複していれば、ユーザが希望したナビ機能が実行されるまでの待機時間を短縮するという効果を奏する。尚、出発地周辺のエリアや通信端末１の現在位置周辺のエリアの交通情報についても取得するように構成しても良い。
【００７７】
その後、Ｓ１６においてＣＰＵ１１は、ナビゲーションアプリの起動処理が完了し、且つサーバ３から経路探索に用いる交通情報の取得が完了したか否か判定する。
【００７８】
そして、ナビゲーションアプリの起動処理が完了し、且つサーバ３から経路探索に用いる交通情報の取得が完了したと判定された場合（Ｓ１６：ＹＥＳ）には、Ｓ１７へと移行する。それに対して、ナビゲーションアプリの起動処理が完了していない、又はサーバ３から経路探索に用いる交通情報の取得が完了していないと判定された場合（Ｓ１６：ＮＯ）には、それらの処理が完了するまで待機する。
【００７９】
Ｓ１７においてＣＰＵ１１は、ナビゲーションアプリの起動に続いて、操作されたショートカットアイコンに対応付けられたナビ機能を実行する。例えば、図１０に示すように起動時の現在位置から自宅へと推奨の検索条件により経路探索を行う経路探索機能が対応付けられたショートカットアイコン５１の選択操作が行われた場合には、ナビゲーションアプリの起動とともに目的地である自宅周辺やセンタールート周辺の交通情報が取得され、続いて、起動時の現在位置から自宅へと推奨の検索条件による経路探索が行われる。尚、経路探索処理については、サーバ３が実行し、サーバ３から探索結果を受信する構成としても良い。そして、経路探索処理が終了した後に探索された案内経路がディスプレイ１８に対して出力される。即ち、ショートカットアイコンの選択操作という１ステップの操作のみを行うことによって、起動時の現在位置から自宅へと推奨の検索条件による経路探索についても行うことができ、ユーザが希望したナビ機能（即ち、起動時の現在位置から自宅へと推奨の検索条件により経路探索を行う経路探索機能）が実行されるまでの待機時間を短縮することができる。
【００８０】
それに対して、前記Ｓ１４による通常のナビゲーションアプリの起動処理を経由して、上記経路探索を行うこととすると、図１０に示すように起動アイコン２６の選択操作によってナビゲーションアプリの起動が完了した後に、ディスプレイ１８に表示されたナビゲーション画面２９において目的地、探索条件等の経路探索を行う為の各種条件を入力する必要がある。そして、それらの条件を入力した後に、自宅周辺やセンタールート周辺の交通情報が取得され、更に、起動時の現在位置から自宅へと推奨の検索条件による経路探索が行われる。従って、上記ショートカットアイコンによる起動と比較してユーザに必要とされる操作手順が多くなり、その結果、ナビゲーションアプリの起動を開始してから案内経路が案内されるまでの時間も長くなる。更に、サーバ３から交通情報を取得する処理は経路探索の条件が入力されてから開始するので、上記ショートカットアイコンによる起動と比較して経路探索に必要な時間も長くなる。
【００８１】
尚、経路探索機能以外のナビ機能が対応付けられたショートカットアイコンによりナビゲーションアプリが起動された場合においても、ユーザの待機時間の短縮という効果を得ることが可能である。例えば、出発地選択部４４（図６参照）において設定された出発地に、ナビゲーションアプリにおいて地図上に特定される通信端末１（即ちユーザ５）の初期位置を補正（設定）する機能が対応付けられたショートカットアイコンにより起動操作が行われた場合には、ナビゲーションアプリの起動とともに出発地周辺の交通情報が取得され、続いて、設定された出発地（例えば自宅）へと地図上の通信端末１（即ちユーザ５）の初期位置を補正する処理が行われる。そして、補正後の初期位置に現在位置マーク３１を表示したナビゲーション画面２９がディスプレイ１８に対して表示され、より正確な現在位置の案内が可能となる。また、その後に経路探索を行う場合には補正後の初期位置を出発地として経路探索が行われるので、より正確な経路の探索が可能となる。即ち、ショートカットアイコンの選択操作という１ステップの操作のみを行うことによって、初期位置の補正を行うことができ、ユーザが希望したナビ機能（即ち、初期位置の補正）が実行されるまでの待機時間を短縮することができる。
【００８２】
それに対して、前記Ｓ１３による通常のナビゲーションアプリの起動処理を経由して、上記現在位置の補正を行うこととすると、ナビゲーションアプリの起動が完了した後にディスプレイ１８に表示されたナビゲーション画面２９において地図画像へのタッチ操作や施設の選択操作等の初期位置の補正を行う為の各種操作を行う必要がある。従って、上記ショートカットアイコンによる起動と比較してユーザに必要とされる操作手順が多くなり、その結果、ナビゲーションアプリの起動を開始してから初期位置が補正されるまでの時間も長くなる。更に、サーバ３から交通情報を取得する処理はナビゲーションアプリが起動された後に開始するので、上記ショートカットアイコンによる起動と比較して初期位置周辺の交通情報が表示されるまでに必要な時間も長くなる。
【００８３】
以上詳細に説明した通り、本実施形態に係る通信端末１、通信端末１の制御方法及び通信端末１において実行されるコンピュータプログラムでは、ナビゲーションアプリがインストールされた通信端末１において、ナビゲーションアプリの起動とともにナビゲーションアプリ内の所定のナビゲーション機能を対応付けたショートカットアイコン５１を作成する（Ｓ７）。そして、トップ画面２５において作成されたショートカットアイコン５１が選択操作された場合には、ナビゲーションアプリを起動するとともに、操作されたショートカットアイコン５１に対応付けられたナビゲーション機能を実行させる（Ｓ１５〜Ｓ１７）ので、ナビゲーションアプリが起動していない状態において、ユーザがナビゲーション機能を実行することを希望してからナビゲーション機能が実行されるまでの待機時間を短縮することが可能となる。また、ナビゲーション機能が実行されるまでに必要な操作手順を簡略化できるので、ユーザへの操作負担についても軽減することが可能となる。
また、特定地点までの経路探索を行う経路探索機能を対応付けたショートカットアイコンを作成するので、特定地点までの経路探索を行う経路探索機能を実行させる場合に、ユーザが経路探索機能を実行することを希望してから経路探索機能が実行されるまでの待機時間を短縮することが可能となる。
また、特定地点へナビゲーションアプリにおいて地図上に特定される通信端末１（即ちユーザ５）の初期位置を補正する補正機能を対応付けたショートカットアイコンを作成するので、特定地点への初期位置の補正機能を実行させる場合に、ユーザが初期位置の補正機能を実行することを希望してから初期位置の補正機能が実行されるまでの待機時間を短縮することが可能となる。
また、必要な交通情報の取得をナビゲーションアプリの起動に係る処理と重複したタイミングで行うので、ナビゲーションアプリの起動が完了してから交通情報の取得を行う場合と比較して、ユーザがナビゲーション機能を実行することを希望してからナビゲーション機能が実行されるまでの待機時間を短縮することが可能となる。
また、予め登録された自宅等のメモリ地点までの経路探索やメモリ地点への初期位置補正の機能を対応付けたショートカットアイコンを作成するので、メモリ地点までの経路探索やメモリ地点への初期位置補正を行う機能を実行させる場合に、ユーザがそれらの機能を実行することを希望してからそれらの機能が実行されるまでの待機時間を短縮することが可能となる。
また、過去に設定された目的地までの経路探索や過去に設定された目的地への初期位置補正の機能を対応付けたショートカットアイコンを作成するので、過去に設定された目的地までの経路探索や過去に設定された目的地への初期位置補正を行う機能を実行させる場合に、ユーザがそれらの機能を実行することを希望してからそれらの機能が実行されるまでの待機時間を短縮することが可能となる。
また、予め設定された一又は複数の探索条件で経路探索を行う経路探索機能を対応付けたショートカットアイコンを作成するので、設定された一又は複数の探索条件による経路探索を行う経路探索機能を実行させる場合に、ユーザが経路探索機能を実行することを希望してから経路探索機能が実行されるまでの待機時間を短縮することが可能となる。
また、複数の探索条件による経路探索を行う経路探索機能を対応付けたショートカットアイコンを生成する場合には、探索条件毎に異なるショートカットアイコンを生成するので、ショートカットアイコンによって経路探索機能を実行する場合に、経路探索の探索条件を容易に選択することが可能となる。
また、複数の探索条件による経路探索を行う経路探索機能を対応付けたショートカットアイコンを生成する場合に、利用頻度の高い探索条件による経路探索機能を対応付けたショートカットアイコンを生成するので、ショートカットアイコンの生成に係るユーザの作業負担を軽減することが可能となる。
また、予め設定された一又は複数の探索条件により出発地から目的地までの経路探索を行う経路探索機能を対応付けたショートカットアイコンを作成するので、設定された一又は複数の探索条件により出発地から目的地までの経路探索を行う経路探索機能を実行させる場合に、ユーザが経路探索機能を実行することを希望してから経路探索機能が実行されるまでの待機時間を短縮することが可能となる。
【００８４】
尚、本発明は前記実施形態に限定されるものではなく、本発明の要旨を逸脱しない範囲内で種々の改良、変形が可能であることは勿論である。
例えば、本実施形態ではショートカット作成処理プログラム（図５参照）のＳ１〜Ｓ７やナビゲーションアプリ起動処理プログラム（図９参照）のＳ１１〜Ｓ１７の処理を通信端末１が実行する構成としているが、情報センタ４が一部または全部の処理を実行する構成としても良い。
【００８５】
また、本実施形態では、通信端末１の操作手段としてタッチパネルを用い、トップ画面２５に表示されたアイコンをタッチ操作することによってナビゲーションアプリの起動を行う構成としているが、タッチパネル以外の操作手段（例えば、マウス、ボタン、十字キー、キーボード）等によりアイコンを操作しても良い。
【００８６】
また、本実施形態では、経路探索機能を対応付けたショートカットアイコンを作成する場合に、ショートカット作成画面４１（図６）において出発地と目的地をそれぞれ設定することとしているが、目的地のみを設定する構成としても良い。その場合には、例えば現在位置から設定された目的地までの経路探索を行う機能が対応付けられたショートカットアイコンが作成される。
【００８７】
また、本実施形態では、経路探索機能や通信端末１（即ちユーザ５）の初期位置をより正確な位置へと補正（設定）する機能を対応付けたショートカットアイコンを作成する例について説明したが、他のナビ機能を対応付けたショートカットアイコンを作成することも可能である。例えば、特定のジャンルや名前に該当する施設を検索する施設検索機能等がある。
【符号の説明】
【００８８】
１              通信端末
２              ナビゲーションシステム
３              サーバ
４              情報センタ
５              ユーザ
１１            ＣＰＵ
１２            メモリ
２１            通信端末ＥＣＵ
２５            トップ画面
２６〜２８      起動アイコン
２９            ナビゲーション画面
４１            ショートカット作成画面
５１            ショートカットアイコン
【図１】
2013200265.tif 000003
【図２】
2013200265.tif 000004
【図３】
2013200265.tif 000005
【図４】
2013200265.tif 000006
【図５】
2013200265.tif 000007
【図６】
2013200265.tif 000008
【図７】
2013200265.tif 000009
【図８】
2013200265.tif 000010
【図９】
2013200265.tif 000011
【図１０】
2013200265.tif 000012